(57)【要約】　　　（修正有）【課題】大きさを最大限有効に発電に生かし、室内や曇天などでも携帯電話等の電気器具の電源として使用できうる光電変換器を提供する。【解決手段】凹凸状に形成された基板４と、その基板４の表て面５と裏面６に夫々積層されて光起電力効果を発揮する第一ＰＩＮ層３と、第二ＰＩＮ層７とを備えた２枚のプレートを所定間隔で平行に配設して、扁平中空室を形成し、該扁平中空室内へ光を透過し、該第二ＰＩＮ層へ光を当てる光透過枠で、２枚の上記プレートの外周を方以上に連結保持する。【選択図】　図２
2004119466.tif 000002
【特許請求の範囲】
【請求項１】
凹凸状に形成された基板（４）と、該基板（４）の表て面（５）と裏面（６）に夫々積層されて光起電力効果を発揮する第一ＰＩＮ層（３）・第二ＰＩＮ層（７）と、を備えた光電変換器。
【請求項２】
凹凸状に形成された基板（４）と、該基板（４）の表て面（５）と裏面（６）に夫々積層されて光起電力効果を発揮する第一ＰＩＮ層（３）・第二ＰＩＮ層（７）と、を備えた２枚のプレート（１２），（１３）を所定間隔で平行に配設して、偏平中空室（１５）を形成し、該偏平中空室（１５）内へ光Ｌを透過し該第二ＰＩＮ層（７）へ光Ｌを当てる光透過枠（１０）で、２枚の上記プレート（１２），（１３）の外周を包囲状に連結保持したことを特徴とする光電変換器。
【請求項３】
基板（４）の外周に、平坦な帯状の縁取り片（９）を配設した請求項１又は２記載の光電変換器。
【請求項４】
基板（４）の凹凸状が、複数の角錐をもって形成されている請求項１，２又は３記載の光電変換器。
【発明の詳細な説明】
【０００１】
【発明の属する技術分野】
本発明は、光電変換器に関する。
【０００２】
【従来の技術】
従来の光電変換器として、基盤の一面に受光面を有し、その基盤を四角錐にすることにより受光面積を増し、真達光や散乱光を有効に取り入れようとするものはある（例えば、特許文献１参照）。
【０００３】
【特許文献１】
特開平８−　７８７０８号公報（第１〜２頁、図１，図２）
【０００４】
【発明が解決しようとする課題】
しかし、特許文献１の図２のように、受光面は片側だけにしか無いため、光電変換器の大きさを、光起電力効果に有効に発揮しているとは言えなかった。
【０００５】
本発明の目的は、この光電変換器の大きさを最大限有効に発電に生かし、室内や曇天などでも携帯電話等の電気器具の電源として使用できうることにある。また、室内等の散乱光も有効に取り入れ、光電変換器本体の大きさに比して有効に発電でき、コンパクトで持ち運びにも便利にすることを他の目的とする。
【０００６】
【課題を解決するための手段】
上述の目的を達成するために、本発明に係る光電変換器は、凹凸状に形成された基板と、該基板の表て面と裏面に夫々積層されて光起電力効果を発揮する第一ＰＩＮ層・第二ＰＩＮ層と、を備えている。
【０００７】
また、凹凸状に形成された基板と、該基板の表て面と裏面に夫々積層されて光起電力効果を発揮する第一ＰＩＮ層・第二ＰＩＮ層と、を備えた２枚のプレートを所定間隔で平行に配設して、偏平中空室を形成し、該偏平中空室内へ光を透過し該第二ＰＩＮ層へ光を当てる光透過枠で、２枚の上記プレートの外周を包囲状に連結保持したものである。
【０００８】
また、基板の外周に、平坦な帯状の縁取り片を配設し、さらに、基板の凹凸状が、複数の角錐をもって形成されるのも好ましい。
【０００９】
【発明の実施の形態】
以下、実施の形態を示す図面に基づき、本発明を詳説する。
【００１０】
図１と図２は、本発明の光電変換器の実施の一形態を示す平面図、及び、図１のＡ−Ａ断面図である。この図１と図２に示すように、光電変換器１は、凹凸状に形成された基板４の表て面５と裏面６にＰＩＮ層３，７を積層したものである。基板４は、アルミニウムやアルミ蒸着樹脂やステンレス等の材質のものがある。基板４の凸となる表て面５の全面と、基板４の凹となる裏面６の全面にＰＩＮ層３，７を薄く積層した状態を示す。このＰＩＮ層３，７は、モノシラン（ＳｉＨ４　）などの原料のガスに微量の添加物を加えた薄いＰ層、Ｉ層、Ｎ層から形成されたものである。なお、本発明の図面に於て、ＰＩＮ層３，７の外面には、（図示省略したが）透明電極層及びガラス層等が、積層される。
【００１１】
具体的には、この基板４の表て面５と裏面６に夫々、まずＰ層から薄くプラズマ蒸着させ、次いでその上に、Ｉ層、Ｎ層の順でプラズマ蒸着させていき、ＰＩＮ層３，７を形成し、光Ｌを受光すると、光起電力効果を発揮する。ＰＩＮ層３，７の厚さは約　０．００３ｍｍと薄いので、光電変換器１は、基板４の凹凸形状とほぼ同形状といえる。
【００１２】
しかして、基板４が平坦な場合よりも受光面積が広く、様々な角度から入射してくる光Ｌも受光でき、基板４の表て面５と裏面６上にＰＩＮ層３，７を形成するので、両面で光Ｌを受光し発電を行うことができて、基板４の面積を半減できる。
【００１３】
さらに、図１と図２に示すように、凹凸状の基板４の外周部を平坦にし、帯状の縁取り片９を設ける。図２の断面図でみると、基板４の凹凸部の外周端が、折れ曲り部１４を介し、縁取り片９が外方へ向けて平坦に延長しており、この縁取り片９の表て面５・裏面６には、ＰＩＮ層を積層しない。縁取り片９を連設することで、この光電変換器１は折れ曲がりにくく、強固な構造となる。
【００１４】
なお、図３は他の実施の形態を示す平面図であり、図４は、図３のＢ−Ｂ断面図である。この実施の形態では、縦横に複数個づつの四角錐を表て面に凸状に、裏面に凹状に、形成し、全体として複数個の凹凸状に形成し、さらに、連結した基板の最外周端を平坦にし、帯状の縁取り片９を配設する。また、２点鎖線にて示す如く、吊下組用の孔２１を有する突片部２２を、縁取り片９と連結面状に形成すると携帯に至便である。なお、図４に於ても、ＰＩＮ層３，７の外面には、さらに、透明電極層及びガラス層等が、積層される。
【００１５】
図３・図４のような、複数の四角錐を有する凹凸状の基板４の両面に積層したＰＩＮ層３，７で多くの光Ｌを受光し、効率よく光起電力効果を発揮する光電変換器１となり、また、凹凸状の基板４を角錐とすると、意匠的に調和のとれた並びとなり、Ｐ層、Ｉ層、Ｎ層の形成も容易である。
【００１６】
図５は、別の実施の形態を示し、図３・図４で示した２枚のプレートを、光Ｌを透過する光透過枠１０で包囲状に連結した断面図である。同じ形状、面積を有する２枚のプレート１２とプレート１３とを所定間隔で平行に配設し、間に偏平中空室１５を形成して、夫々の縁取り片９にて、光Ｌを透過する光透過枠１０で連結する。
この光透過枠１０は、ガラス、樹脂製品等携帯しても壊れない程度の強度を持つものが好ましく、２枚のプレート１２と１３の縁取り片９の外周形状に沿って形成される。光透過枠１０の光透過枠端部１１は、縁取り片９と沿った形状で内鍔状に突設され、接着剤等で偏平中空室１５を包囲するよう縁取り片９と固着される。
【００１７】
なお、基板４自体を折り曲げて、プレート１２とプレート１３とを一辺で連結した構造ならば、光透過枠１０は残り３辺に配設すれば良く、このときも包囲状と呼ぶこととする。
【００１８】
図５の光電変換器１は、夫々のプレート１２，１３の第一ＰＩＮ層３で外部からの光Ｌを受光して光起電力を発揮し、さらに、外部の光Ｌが、光透過枠１０を透過して偏平中空室１５内へ入り、第二ＰＩＮ層７で受光して光起電力を発揮するので、光電変換器１の形状に比して、大きな発電力を得られるのである。また、プレート１２と１３の間隔は、３ｍｍ〜１０ｍｍ程度で、十分に矢印Ｌにて示すように、室内等の散乱光を偏平中空室１５内へ導入できて、スペースを取らず、携帯に便利である。
なお、本発明の図面に於て、ＰＩＮ層３，７の外面には、（図示省略したが）透明電極層及びガラス層等が、積層される。
【００１９】
【発明の効果】
本発明は上述の如く構成されるので、次に記載する効果を奏する。
【００２０】
（請求項１によれば）光電変換器の両面にＰＩＮ層が積層し、受光面を設けることで、光電変換器の面積を最大限有効に発電に生かせる。また、基板が凹凸状であるから、平坦な基板に比べ、受光面積が増え、様々な角度からの光を受光出来る。
【００２１】
（請求項２によれば）２枚のプレート１２，１３の第一ＰＩＮ層３で外部からの光Ｌを受光して光起電力を発揮し、さらに、外部の光Ｌが、光透過枠１０を透過して偏平中空室１５内へ入り、第二ＰＩＮ層７で受光して光起電力を発揮するので、光電変換器の形状に比して、大きな発電力を得られるのである。さらに、２枚のプレート１２，　１３を近づけて光透過枠１０で固着すれば、光電変換器を薄く、面積を小さくしても、大きな光起電力を得られるので、スペースを取らず、携帯電話等に付属して持ち運ぶことも可能である。
【００２２】
（請求項３によれば）凹凸状の基板に、平坦な帯状の縁取り片９を配設したことで、折れ曲がりにくく、強固な構造となる。
【００２３】
（請求項４によれば）凹凸状に複数の角錐をもって表て面５と裏面６を形成したので、全体的に意匠的な調和がとれ、また、Ｐ層、Ｉ層、Ｎ層の形成も容易となる。
【図面の簡単な説明】
【図１】本発明の光電変換器の実施の一形態を示す平面図である。
【図２】図１におけるＡ−Ａ断面図である。
【図３】他の実施の形態を示す平面図である。
【図４】図３におけるＢ−Ｂ断面図である。
【図５】別の実施の形態を示す断面図である。
【符号の説明】
３　第一ＰＩＮ層
４　基板
５　表て面
６　裏面
７　第二ＰＩＮ層
９　縁取り片
１０　光透過枠
１２　プレート
１３　プレート
１５　偏平中空室
Ｌ　光
【図１】
2004119466.tif 000003
【図２】
2004119466.tif 000004
【図３】
2004119466.tif 000005
【図４】
2004119466.tif 000006
【図５】
2004119466.tif 000007